(57)【要約】【目的】  階段は階上又は階下への昇降を可能にするという機能を有するが、この様な移動機能の他に適切な機能を付加させた階段構造を提供するものである。【構成】  住宅１内に階段２の段差部３を設け、住宅１に接する張り出し空間４を設け、張り出し空間４内に階段２の踊り場５を設け、張り出し空間４内に眺望できる窓６を設ける様にする。【選択図】図１
2007177596.tif 000002
【特許請求の範囲】
【請求項１】
住宅１内に階段２の段差部３を設け、住宅１に接する張り出し空間４を設け、張り出し空間４内に階段２の踊り場５を設け、張り出し空間４内に眺望できる窓６を設けることを特徴とする階段構造。
【請求項２】
住宅１内に階段２の段差部３を設け、住宅１に接する張り出し空間４を設け、張り出し空間４内に階段２の踊り場５を設け、張り出し空間４内に眺望できる窓６を設ける階段構造であって、張り出し空間４の下部に収納庫１０を設け、張り出し空間４と収納庫１０とを一体化させた骨格構造１１に基づいて建築施工が行われることを特徴とする階段構造。
【請求項３】
住宅１内に階段２の段差部３を設け、住宅１に接する張り出し空間４を設け、張り出し空間４内に階段２の踊り場５を設け、張り出し空間４内に眺望できる窓６を設ける階段構造であって、骨格構造１１の屋根１４内部に防火シャッター１５を設け、火災の際に防火シャッター１５を降下させて段差部３と踊り場５とを隔離することを特徴とする階段構造。
【発明の詳細な説明】
【発明の詳細な説明】
【技術分野】
【０００１】  本発明は適切な機能を有する階段構造に関するものである。
【背景技術】
【０００２】  階段は階上又は階下への昇降を可能にするという機能を有するものである。
【発明が解決しようとする課題】
【０００３】  階段は昇降を可能にするという移動機能を有する反面、階段の昇降の実施においては多少の疲労感を伴うものである。本発明は疲労感の軽減を図るための機能を付加させることで快適感の達成を目指すものである。つまり、疲労感の軽減に必要な休息や眺望が可能な構成にすることでこの課題を解決するものである。併せて、本発明の構成による防災機能の付加を目指すものである。
【課題を解決するための手段】
【０００４】  住宅１内に階段２の段差部３を設け、住宅１に接する張り出し空間４を設け、張り出し空間４内に階段２の踊り場５を設け、張り出し空間４内に眺望できる窓６を設ける様にする。
【発明を実施するための最良の形態】
【０００５】  図１に示すものは２階から望んだ状況の階段２周辺の間取り図である。踊り場５は階段２の中間位置に設けるものであり、且つ、水平を保てる場所であるために昇降の際の休息に活用できる。又、本発明においては［０００４］で示す様に踊り場５が張り出し空間４内に設置されるため、張り出し空間４内に設けた窓６から見える外界の風景を存分に楽しむことができる。つまり、窓６は張り出し空間４を形成する三面の壁７に設けられるため、窓６に向かう姿勢で踊り場５に立つ状況では左側の窓６と正面の窓６、及び、右側の窓６の三方向から望む雄大なパノラマ風景を満喫することになる。なお、図１に示す８は花壇であり、風景対象例として記したものである。
【実施例】
【０００６】  又、踊り場５では休息や眺望のための椅子が望まれるが、占有面積の観点から図１においては張り出し空間４の窓６下部の内壁に格納型の椅子９を設ける。図１に示す椅子９は格納状態にあるが、使用の際は椅子９の座面を押し倒すか、又は構造如何では引き上げるかの操作をし、その後に椅子９の座面や脚の固定を行う。この椅子９の配置箇所は１階寄りの段差部３から遠隔の位置として、１階寄りの段差部３近隣で懸念される転倒等の不慮の事故への対処を行う様にする。
又、図２に示すものは張り出し空間４による形状を生かし、その下部に収納庫１０を設けたものである。この収納庫１０は屋外関連物の収納に使用される。このことは屋外関連物を用いて屋外美化に努め、美化された風景を踊り場５から眺めるという観点からは論理に適うものである。
又、図３に示すものは張り出し空間４と収納庫１０とを一体化させた骨格構造１１である。つまり、住宅１の建築の段階で骨格構造１１を住宅１に取り付け、骨格構造１１にサイディングボードを張り付ける等で仕上げる。又、骨格構造１１には脚１２を設け、脚１２は土間に設置されるか、基礎の上に固定される様にする。又、骨格構造１１には踊り場５の造作の礎となる枠１３を設ける。なお、骨格構造１１は一般には鉄骨素材によるものとするが、その他には木材でも造作可能である。或いは、張り出し空間４や収納庫１０をアルミ素材により外装することも考慮できる。この骨格構造１１はユニットであるから骨格構造１１を工場内で製作し、建築現場へ運搬して設置することで住宅１の生産性を高める。なお、骨格構造１１は運搬の際の便宜を考慮して分割型にして現場組み立てによる施工を行う様にする。又、張り出し空間４は住宅１から独立する骨格構造１１により建築されるために火災時の一時避難場所に活用できる。つまり、骨格構造１１の屋根１４内部に防火シャッター１５を設け、火災の際に防火シャッター１５を降下させて段差部３と踊り場５とを隔離する様にする。この防火シャッター１５の機能により住宅１からの延焼を制止する中で踊り場５上の避難者は窓６からの脱出を行う。なお、張り出し空間４の内外装を耐火仕様にすることで万全となる。
【発明の効果】
【０００７】  （イ）  階段２の昇降の実施においては疲労感を伴うものであるが、休息や眺望が可能な構成により解決することができる。つまり、階段２の中間位置において休息を行う、又は庭園等の風景を楽しむことにより疲労感の軽減が図られるため、特に主婦や老齢者等の家庭内で多くを過ごす方には有効な構成である。
（ロ）  住宅１内から庭園を眺める場合、１階の高さからの視野では背景が重複されることで奥行き感に乏しく、又、２階の高さからの視野では臨場感に乏しくなる。但し、踊り場５程の高さからの視野では適度に見渡しが利き、又、適度に至近感があり、このことが眺望の際の魅力となる。
（ハ）  張り出し空間４の下部に収納庫１０を設けることでスペースの有効利用が図られる。加えて、張り出し空間４と収納庫１０による一律に統一された美しい外観を実現することができる。更に、張り出し空間４の下部に収納庫１０を設けることで収納庫１０を土台とする強固な張り出し空間４が造作できる。
（ニ）  骨格構造１１が工場生産に適する理由としては階段２の幅や住宅１の天井高等の各寸法が予め把握できるためであり、これにより高品質大量生産が可能になる。本発明は張り出し空間４と収納庫１０とを一体化させた骨格構造１１に基づいて建築施工が行われることを特徴とするものである。
（ホ）  張り出し空間４に設ける防火シャッター１５により張り出し空間４は火災時の一時避難場所になる等、踊り場５を張り出し空間４内に設けることで多目的に活用することができる。
（ヘ）  張り出し空間４内に設ける窓６による採光手段により踊り場５は一様に照らされるが、階段２周辺の安全性が図られることで効果的である。
（ト）  本発明のものは住宅１の外周沿いに階段２を設けることで実現するものであるが、これにより広い間取りの設計が容易に行えることになる。つまり、広い住空間を求める傾向の中でその様なユーザーの要望に対応することができる。
【図面の簡単な説明】
【図１】  ２階から望む階段２周辺の間取り図
【図２】  一部透視を含めた張り出し空間４の外観を示す斜視図
【図３】  骨格構造１１を示す斜視図
【符号の説明】
１  住宅                  ２  階段              ３  段差部
４  張り出し空間          ５  踊り場            ６  窓
７  壁                    ８  花壇              ９  椅子
１０  収納庫              １１  骨格構造        １２  脚
１３  枠                  １４  屋根            １５  防火シャッター
【図１】
2007177596.tif 000003
【図２】
2007177596.tif 000004
【図３】
2007177596.tif 000005